(57)【要約】【課題】  室内および天井裏を同時に監視すること。【解決手段】  筐体の前面および背面に臨むように火災検出部を設けた。また、前記筐体内に設けられる回路基板に開口部を設け、この開口部に前記煙検出部の煙検出ユニットを設けた。このように、筐体を、設置部材に形成された取付用開口内に設置することによって、設置部材の前面側および背面側の空間の火災監視を行うことができる。例えば、設置部材が天井部材であれば、室内と天井裏とを同時に監視することができるので、室内に限らず、天井裏で火災が発生したことも迅速に検出することができる。【選択図】図２
2010205010.tif 000002
【特許請求の範囲】
【請求項１】
筐体の前面および背面に臨むように火災検出部が設けられることを特徴とする火災警報器。
【請求項２】
前記火災検出部は煙検出部であり、
前記筐体内に設けられる回路基板に開口部を設け、この開口部に前記煙検出部の煙検出ユニットを設けたことを特徴とする請求項１記載の火災警報器。
【発明の詳細な説明】
【技術分野】
【０００１】
本発明は、火災警報器に関するものである。
【背景技術】
【０００２】
従来、火災検出部の一例としての煙検出部が筐体の前面から突出して設けられる火災警報器が知られている。火災警報器は、設置部材の一例としての天井部材に取り付けられて、室内の火災を監視する。煙検出部は、内部に検煙空間が設けられ、その周囲に設けられた煙流入口から検煙空間に流入した煙による発光素子からの光の散乱光を受光素子で受光し、受光出力が所定煙濃度以上を示す値になれば火災警報をするように構成されている（例えば、特許文献１、参照）。
【先行技術文献】
【特許文献】
【０００３】
【特許文献１】特開２００７‐２８６７９５号公報
【発明の概要】
【発明が解決しようとする課題】
【０００４】
ところで、天井裏には、照明機器などに利用されるＡＣ配線などが配設されている。このＡＣ配線などがトラッキングやショートした場合、火災が発生することが考えられる。しかしながら、従来の火災警報器は、室内のみを監視するだけであり、天井裏は監視していないので、天井裏で火災が発生したことを迅速に検出することができなかった。
【０００５】
本発明は、前記問題点に鑑みてなされたものであり、その目的は、室内および天井裏を同時に監視することができる火災警報器を提供することにある。
【課題を解決するための手段】
【０００６】
この発明は、筐体の前面および背面に臨むように火災検出部が設けられていることを特徴とするものである。
【０００７】
また、前記火災検出部は煙検出部であり、前記筐体内に設けられるプリント基板に開口部を設け、この開口部に前記煙検出部の煙検出ユニットを取り付けたことを特徴とするものである。
【発明の効果】
【０００８】
この発明の火災警報器は、筐体の前面および背面に臨むように火災検出部が設けられているので、筐体を、設置部材に形成された取付用開口内に設置することによって、設置部材の前面側および背面側の空間の火災監視を行うことができる。例えば、設置部材が天井部材であれば、室内と天井裏とを同時に監視することができるので、室内に限らず、天井裏で火災が発生したことも迅速に検出することができる。
【０００９】
また、前記火災検出部は煙検出部であり、前記筐体内に設けられる回路基板に開口部を設け、この開口部に前記煙検出部の煙検出ユニットを取り付けたので、筐体の前面側および背面側の火災監視を、開口部を介して、１つの煙検出ユニットで行うことができる。
【図面の簡単な説明】
【００１０】
【図１】本発明の実施例１を示す火災警報器の正面図。
【図２】図１の側面図。
【図３】図１の火災警報器を天井部材に取り付けた状態でのＡ−Ａ断面図。
【図４】回路基板の正面図であり、煙検出部の内部構造を示す図。
【発明を実施するための形態】
【００１１】
以下に、本発明の第１実施例を図１〜図４を参照して詳細に説明する。図１は本発明の実施例１を示す火災警報器の正面図、図２は図１の側面図、図３は図１の火災警報器を天井部材に取り付けた状態でのＡ−Ａ断面図、図４は回路基板の正面図であり、煙検出部の内部構造を示す図である。
【００１２】
火災警報器は、警報器本体１０と、設置部材としての天井部材Ｔに取り付けられて警報器本体１０が着脱可能に装着される取付ベース２０と、によって筐体３０が構成されている。
【００１３】
取付ベース２０は、円筒状の円筒壁２１と、円筒壁２１から外周側に延出して設けられた板状の２つの取付部２２と、取付部２２に形成された取付穴２３とからなり、円筒壁２１の内周面には警報器本体１０との係合用の刃受部（図示せず）が設けられている。
【００１４】
警報器本体１０は、略円柱状であり、中央に前面開口部１１を有するリング状の前面壁１２と、中央に背面開口部１３を有するリング状の背面壁１４と、前面壁１２の外周縁と背面壁１４の外周縁とを連結する円筒状の周壁１５とからなり、周壁１５の外周面には取付ベース２０との係合用の刃部（図示せず）が設けられている。また、前面壁１２および背面壁１４には、スピーカ７０（後述する）に対応して、前面音響孔１６および背面音響孔１７が設けられ、また、音響孔１６、１７の逆側で表示灯８０に対応して、前面表示穴１８および背面表示穴１９が設けられている。
【００１５】
警報器本体１０の内部には、回路基板４０が設置されている。図３、図４において、回路基板４０には、中央に煙検出用開口部４１が設けられ、一方に音響用開口部４２が設けられ、他方に表示用開口部４３が設けられている。
【００１６】
そして、回路基板４０の前面側には、音響用開口部４２内に位置するように、音響装置としてのスピーカ７０が、リード端子を介して取り付けられている。同様に、回路基板４０の前面側には、表示用開口部４３内に位置するように、表示装置としての表示灯８０が、リード端子を介して取り付けられている。このように構成することによって、火災警報を行うときに、スピーカ７０からの音響は、音響用開口部４２を介して、前面音響孔１６および背面音響孔１７から、筐体前面側のみならず背面側の外部にも放音することができ、また、表示灯８０の発光は、表示用開口部４３を介して、前面表示穴１８および背面表示穴１９から、筐体前面側のみならず背面側の外部にも放射することができる。この構成は、部屋を簡易的に仕切るパーテションなどに埋め込み設置されたときに、パーテションで仕切られた部屋のどちら側からでも音響および表示を確認でき、特に有効である。
【００１７】
また、回路基板４０の前面および背面側には、煙検出用開口部４１を覆うように、火災検出部の一例としての煙検出部５０が取り付けられている。そして、煙検出部５０は、前面開口部１１および背面開口部１３から突出していて、警報器本体１０の前面および背面に臨むように設けられている。
【００１８】
煙検出部５０は、回路基板４０の前面側に取り付けられた前面側暗箱５１と、回路基板４０の背面側に取り付けられた背面側暗箱５６と、煙検出ユニットの一例としての発光素子６０および受光素子６１とにより構成されている。
【００１９】
前面側暗箱５１は、回路基板４０に取り付けられた略円筒状の光学台５３と、光学台５３の前面側開口を覆う光学台カバー５４とにより構成されて、内部に火災検出空間の一例としての前面側検煙空間Ｂを有している。光学台５３は、側面外周に煙流入口５２が形成されている。また、前面側暗箱５１の内部には、発光素子６０および受光素子６１が設けられ、煙検出用開口部４１の内縁近傍で、回路基板４０に取り付けられている。
【００２０】
光学台５３の水平断面図として図４に示されるように、煙検出部５０の内部には発光素子６０と受光素子６１とが各々の光軸をずらして配置され、各々の光軸の交差点付近が前面側検煙空間Ｂを形成している。また、前面側検煙空間Ｂの周囲には略Ｊ字状のラビリンス部材５５が所定間隔を有して形成されて、ラビリンス部材５５間に煙流入口５２が形成されている。また、ラビリンス部材５５により前面側検煙空間Ｂに煙は流入するものの外光は入射しないようになっている。従って、警報器本体１０の前面側の空間で火災が発生したとき、火災等により生じた煙は煙検出部５０の煙流入口５２を介して前面側検煙空間Ｂに流入することができ、発光素子６０からの光の散乱光を受光素子６１で受光して、受光出力が所定煙濃度以上を示す値になれば火災警報をすることができる。
【００２１】
同様に、背面側暗箱５６は、回路基板４０に取り付けられた略円筒状の光学台５８と、光学台５８の背面側開口を覆う光学台カバー５９とにより構成されて、内部に火災検出空間の一例としての背面側検煙空間Ｃを有している。光学台５８は、側面外周に煙流入口５７が形成されている。また、図示しないが、背面側検煙空間Ｃの周囲には略Ｊ字状のラビリンス部材が所定間隔を有して形成されて、ラビリンス部材間に煙流入口５７が形成されている。また、ラビリンス部材により背面側検煙空間Ｃに煙は流入するものの外光は入射しないようになっている。従って、警報器本体１０の背面側の空間で火災が発生したとき、火災等により生じた煙は煙検出部５０の煙流入口５７を介して背面側検煙空間Ｃに流入した後に、煙検出用開口部４１を通過して前面側検煙空間Ｂに流入することができ、発光素子６０からの光の散乱光を受光素子６１で受光して、受光出力が所定煙濃度以上を示す値になれば火災警報をすることができる。このように、回路基板４０に煙検出用開口部４１を設け、この煙検出用開口部４１に煙検出ユニットの一例としての発光素子６０および受光素子６１を取り付けたので、筐体３０の前面側および背面側の火災監視を、煙検出用開口部４１を介して、１つの煙検出ユニットで行うことができる。
【００２２】
また、煙流入口５２、５７の外周には、虫や埃等の流入を防止するための防虫網６２、６３が設けられている。
【００２３】
以上のような構成の火災警報器は、設置部材としての天井部材Ｔに取付用開口９０を形成した後に、取付ベース２０の円筒壁２１を取付用開口９０内に室内側から挿入する。そして、取付部２２を室内側天井面に当接させた状態で、  取付穴２３に取付ネジ９１を挿入して、取付ベース２０を螺着により天井部材Ｔに取り付ける。
【００２４】
つぎに、警報器本体１０を取付ベース２０の内側に挿入した後、警報器本体１０を周方向に回転させて刃部（図示せず）を取付ベース２０の刃受部（図示せず）に係止させて、取付ベース２０に装着することで、警報器本体１０は天井部材Ｔに固定される。これによって、筐体３０は、天井部材Ｔに形成された取付用開口９０内に設置される。このとき、前面側暗箱５１は、筐体３０から突出した状態で室内側に位置し、また、背面側暗箱５６は、筐体３０から突出した状態で天井裏側に位置する。
【００２５】
そして、室内側で火災が発生すると、火災等により生じた煙が煙流入口５２を介して煙検出部５０内に流入する。また、天井裏側で火災が発生すると、火災等により生じた煙が煙流入口５７を介して煙検出部５０内に流入する。これによって、煙検出部５０は、火災を検出して、スピーカ７０の鳴動および表示灯８０の発光を行って、火災警報を行う。
【００２６】
前記実施例において、煙検出部として散乱光式の煙検出部を用いて説明したが、イオン化式の煙検出部としてもよい。
【００２７】
また、前記実施例において、火災検出部の一例として、煙検出部を用いて説明したが、例えば、サーミスタ等の熱検出部にも本発明を適用することができる。つまり、筐体の前面および背面に臨むように火災検出部が設けられる構成、筐体の前面側および背面側に火災検出空間が設けられる構成、例えば、筐体の前面および背面から火災検出部が突出して設けられる構成であれば、火災検出部は煙検出部に限定されない。なお、熱検出部の場合、火災検出空間は熱検出部の周囲空間である。
【符号の説明】
【００２８】
１０  警報器本体、１１  前面開口部、１２  前面壁、１３  背面開口部、１４  背面壁、１５  周壁、１６  前面音響孔、１７  背面音響孔、１８  前面表示穴、１９  背面表示穴、２０  取付ベース、２１  円筒壁、２２  取付部、２３  取付穴、３０  筐体、４０  回路基板、４１  煙検出用開口部、４２  音響用開口部、４３  表示用開口部、５０煙検出部（火災検出部）、５１  前面側暗箱、５２  煙流入口、５３  光学台、５４  光学台カバー、５５  ラビリンス部材、５６  背面側暗箱、５７  煙流入口、５８  光学台、５９  光学台カバー、６０  発光素子、６１  受光素子、６２  防虫網、６３  防虫網、７０  スピーカ、８０  表示灯、９０  取付用開口、９１  取付ネジ、Ｂ  前面側検煙空間、Ｃ  背面側検煙空間、Ｔ  天井部材（設置部材）。
【図１】
2010205010.tif 000003
【図２】
2010205010.tif 000004
【図３】
2010205010.tif 000005
【図４】
2010205010.tif 000006